(57)【特許請求の範囲】
【請求項１】
板状の風呂蓋本体の周縁部にエッジプロテクタを設けた風呂蓋において、該エッジプロテクタのうち、該風呂蓋を浴槽に被せた状態で該浴槽に接触する接触部を軟質材とし、エッジプロテクタのその他の表面を該軟質材よりも硬質としたことを特徴とする風呂蓋。
【請求項２】
請求項１において、、エッジプロテクタは軟質な内部材と、この内部材を覆う硬質な表面材と、該内部材と一体の前記接触部とを備えてなることを特徴とする風呂蓋。
【請求項３】
請求項１において、エッジプロテクタは軟質な内部材と、この内部材を覆う硬質な表面材と、着脱可能な前記接触部とを備えてなることを特徴とする風呂蓋。
【発明の詳細な説明】
【０００１】
【発明の属する技術分野】
本発明は風呂蓋に係り、特にエッジプロテクタを備えた風呂蓋の改良に関する。
【０００２】
【従来の技術】
浴槽に被せる風呂蓋の周縁部には、軟質な合成樹脂よりなるエッジプロテクタが装着される。例えば、特開平８−１０３３８９号、同８−２７５８９１号には、このエッジプロテクタを風呂蓋板体の周縁部に着脱自在に取り付けた風呂蓋が記載されている。
【０００３】
図５は、この特開平８−２７５８９１号の風呂蓋を示す斜視図である。図５（ａ）において、風呂蓋１は浴槽２の上端の手すり部３上に載せられて浴槽２を閉じる板状のものである。この風呂蓋１は、同図(b) に示しているように板体からなる風呂蓋本体４と、該風呂蓋本体４の周縁部に沿って且つ全周に亘って風呂蓋本体４に固定的に設けられたプロテクタ取付部５と、同じく風呂蓋本体４の全周に亘って配置され、プロテクタ取付部５に取り付けられた、軟質弾性材からなるエッジプロテクタ６とを有している。
【０００４】
【発明が解決しようとする課題】
従来のエッジプロテクタ付き風呂蓋においては、風呂蓋１を浴槽２に被せるときに軟質弾性材よりなるエッジプロテクタ６と手すり部３の上面との摺動抵抗が大きいために、風呂蓋１をスライドさせにくいという短所がある。また、軟質材は汚れやカビが付き易いが、汚れやカビが広い範囲にわたって付くと見栄えが悪くなる。なお、エッジプロテクタ全体を硬質なものとしたのでは、エッジプロテクタが身体に当ったときに痛いと共に、手すり部に載せた風呂蓋が滑り易く、何かのはずみで風呂蓋が浴槽内に落下してしまう。また、硬質なエッジプロテクタは、風呂蓋のコーナー部を回しにくいという短所がある。
【０００５】
本発明は、このような従来技術の短所を解決し、浴槽に被せ易く、しかも被せた後はスライドしにくい風呂蓋を提供することを目的とする。
【０００６】
【課題を解決するための手段】
本発明の風呂蓋は、板状の風呂蓋本体の周縁部にエッジプロテクタを設けた風呂蓋において、該エッジプロテクタのうち、該風呂蓋を浴槽に被せた状態で該浴槽に接触する接触部を軟質材とし、エッジプロテクタのその他の表面を該軟質材よりも硬質としたことを特徴とするものである。
【０００７】
かかる風呂蓋は、浴槽に被せた状態では接触部が手すり部上面と接触し、風呂蓋が滑りにくいが、風呂蓋の一端を持ち上げると接触部が手すり部上面と全く又は殆ど接触しないようになり、風呂蓋を軽快にスライドさせることができる。
【０００８】
本発明では、エッジプロテクタは軟質な内部材と、この内部材を覆う硬質な表面材と、該内部材と一体の前記接触部とを備えてなるものであっても良い。
【０００９】
また、本発明では、エッジプロテクタは軟質な内部材と、この内部材を覆う硬質な表面材と、着脱可能な接触部とを備えてなるものであっても良い。
【００１０】
【発明の実施の形態】
図１は第１の実施の形態に係る風呂蓋７の端部を示す断面図であり、風呂蓋本体４の周縁部にエッジプロテクタ８が装着されている。このエッジプロテクタ８は、軟質塩化ビニル等の軟質合成樹脂よりなる内部材９と、該内部材９の外表面を覆っている硬質塩化ビニル、硬質ポリオレフィン等の硬質合成樹脂よりなる表面材１０と、該表面材１０の上端面と下端面とから突出している接触部１１とからなる。
【００１１】
この実施の形態では、接触部１１は内部材９と同材料のものであり、該内部材９と一連一体のものとなっている。
【００１２】
このエッジプロテクタ８は、例えば多層同時押出成形により一体的に成形することができる。
【００１３】
また、このエッジプロテクタ８は、予め成形された接触部１１付きの内部材９に対し、フィルム状合成樹脂を接着させることにより表面材１０を形成したものであっても良い。フィルム状合成樹脂を接着する代わりに塗装を施すことによって表面材１０を形成しても良い。
【００１４】
このように構成された風呂蓋７であれば、図１(a) のように手すり部３に載せたときに接触部１１が手すり部３の上面に接触するようになり、浴槽２に被せた風呂蓋７が滑りにくいものとなる。
【００１５】
また、風呂蓋７を浴槽２に対し被せたり取り除いたりするために風呂蓋７の一端を持ち上げると、図１(b) のように硬質な表面材１０が手すり部３に接触し、接触部１１は殆ど又は全く手すり部３には接触しないようになり、風呂蓋７を軽快にスライドさせることができる。この接触部１１は狭幅であるため、汚れやカビが付きにくく、仮に付いても目立ちにくく、且つ清掃も容易である。
【００１６】
なお、接触部１１を上下両面に設けているため、風呂蓋７を裏返しにしても同様の効果を得ることができる。
【００１７】
このエッジプロテクタ８は、芯材となる内部材９が軟質材よりなるものであるため、風呂蓋のコーナー部を回し易い。
【００１８】
図２は第２の実施の形態に係る風呂蓋の端部の断面図である。この実施の形態では、エッジプロテクタ１２の接触部１３は内部材９とは別個の材料にて構成されている。このエッジプロテクタ１２は、例えば多層同時押出成形により内部材９、表面材１０及び接触部１３を一体的に成形することができる。
【００１９】
また、このエッジプロテクタ８は、予め成形された接触部１３付きの内部材９に対しフィルム状合成樹脂を接着させることにより表面材１０を形成したものであっても良い。フィルム状合成樹脂を接着する代わりに塗装を施すことによって表面材１０を形成しても良い。
【００２０】
また、このエッジプロテクタ８は、内部材９と表面材１０とを先に成形しておき、接触部１３をこれに嵌め込むようにして製造することもできる。この場合、接触部１３は接着されても良く、単に嵌合だけによって装着されても良い。後者のように接触部１３を嵌合のみによって装着する場合、接触部１３を交換することができる。
【００２１】
第１、２の実施の形態ではエッジプロテクタ８、１２は円形断面形状であるが、楕円形、多角形など各種形状のものとしうる。図３、４は５角形断面形状のエッジプロテクタ１４、１８を示すものである。
【００２２】
図３のエッジプロテクタ１４は、内部材１５、表面材１６及び接触部１７よりなるものであり、接触部１７は内部材１５と一連一体のものとなっている。
【００２３】
図４のエッジプロテクタ１８は、接触部１９が内部材１５とは別個のものとなっている。
【００２４】
この図３、４のエッジプロテクタ１４、１８は図１、２のエッジプロテクタ８、１２と同様にして製造することができる。
【００２５】
なお、本発明において、エッジプロテクタは風呂蓋本体に対し、固定的に設けられても良く、着脱可能に取り付けられても良い。
【００２６】
本発明では、接触部の色調を表面材の色調と異ならせても良く、このようにすることによりエッジプロテクタの意匠にバリエーションをもたせることができる。この場合、接触部の色を汚れの目立ちにくい色にすることも可能である。
【００２７】
【発明の効果】
以上の通り、本発明の風呂蓋は、エッジプロテクタに設けた接触部と浴槽手すり部との摺動抵抗が大きく、浴槽に被せた状態で風呂蓋が滑りにくく、安定性に優れる。また、この風呂蓋の一端を持ち上げることにより、該風呂蓋を容易にスライドさせることもできる。この風呂蓋は、汚れやカビが付きにくく、また仮に付いても汚れ等が目立たない。この風呂蓋は、コーナー部にもエッジプロテクタを容易に装着することができる。
【００２８】
本発明では、接触部のみを交換できるように構成することも可能である。
【図面の簡単な説明】
【図１】第１の実施の形態に係る風呂蓋の断面図である。
【図２】第２の実施の形態に係る風呂蓋の断面図である。
【図３】第３の実施の形態に係る風呂蓋の断面図である。
【図４】第４の実施の形態に係る風呂蓋の断面図である。
【図５】従来例に係る風呂蓋の斜視図である。
【符号の説明】
１、７  風呂蓋
２  浴槽
３  手すり部
４  風呂蓋本体
６、８、１２、１４、１８  エッジプロテクタ
９、１５  内部材
１０、１６  表面材
１１、１３、１７、１９  接触部
【図１】
0003747568.tif 000002
【図２】
0003747568.tif 000003
【図３】
0003747568.tif 000004
【図４】
0003747568.tif 000005
【図５】
0003747568.tif 000006